(57)【要約】【課題】毛髪の束ねた部分に当てがってワンタッチで押し込むだけで毛髪の束をしっかり固定して固定部を確実に保持することとし、上下に移動して位置を変えたり取り付け取り外しの手間も簡単で毛髪にやさしく、而も小さくて愛らしく、カラフルな絵柄が人目についてお洒落でファッション性に富んだ毛髪飾り具を提供する。【解決手段】頭の毛髪を束ねて保持するように装着する頭髪飾り具であって、毛髪の束を出し入れする縦割り部（１）を全長に開設した中空筒状の外装体（１０）と、この外装体（１０）に対して前記縦割り部（１）よりこの縦割部を押し広げて内嵌される軸芯体からなる内装体（２０）との組み合わせで且つ、これら両内外装体（１０）（２０）間に毛髪の束を弾力的に狭持しクリップする構成の頭髪飾り具。【選択図】図１
2005110874.tif 000002
【特許請求の範囲】
【請求項１】
頭の毛髪を束ねて保持するように装着する頭髪飾り具であって、毛髪の束を出し入れする縦割り部（１）を全長に開設した中空筒状の外装体（１０）と、この外装体（１０）に対して前記縦割り部（１）よりこの縦割部を押し広げて内嵌される軸芯体からなる内装体（２０）との組み合わせで且つ、これら両内外装体（１０）（２０）間に毛髪の束を弾力的に狭持しクリップする構成の頭髪飾り具。
【請求項２】
前記外装体（１０）には、その外周表面部に彩色、絵柄等の装飾（２）が付設されてなる請求項１記載の頭髪飾り具。
【請求項３】
前記外装体（１０）の縦割部（１）に、一端の枢支部（３）を支点に開閉する開閉蓋（４）を設け、この開閉蓋（４）に前記内装体（２０）を取付けてなる請求項１記載の頭髪飾り具。
【発明の詳細な説明】
【技術分野】
【０００１】
本発明は、頭の毛髪を束ねた部位に装着して毛髪の束をクリップし且つアクセサリーとして手軽に使用されるようにした頭髪飾り具に関する。
【背景技術】
【０００２】
頭髪を束ねるのに使用される頭髪飾り用のクリップは、各種のものが存在する。簡単なものとしては、ゴムひもに花などの飾りをつけたもの、鋏み式又はU字形のクリップピン式のもの（特許文献１参照）、或いはコイルスプリング式といったもの等も一般に知られている。
【特許文献１】特開平９−３１３２３８号公報
【特許文献２】特開２００１−２９１１８号公報
【発明の開示】
【発明が解決しようとする課題】
【０００３】
しかし、従来のもの例えばクリップピン式のものではＵ字形のクリップピンを単に髪に挿しこむだけであるために抜け落ちやすい上に、毛髪の束を固定し難いといった問題点があり、また、コイルスプリング式では着脱に時間を要し、而も装着した際には重く感じるため、激しい運動には不向きで使用困難であった。
【０００４】
本発明は、上記に鑑みてなされたものであり、毛髪の束ねた部分に当てがってワンタッチで押し込むだけで毛髪の束をしっかり固定して固定部を確実に保持することとし、上下に移動して位置を変えたり取り付け取り外しの手間も簡単で毛髪にやさしく、而も小さくて愛らしく、カラフルな絵柄が人目についてお洒落でファッション性に富んだ毛髪飾り具を提供することを目的とする。
【課題を解決するための手段】
【０００５】
本発明に係る毛髪飾り具は、頭の毛髪を束ねて保持するように装着する頭髪飾り具であって、毛髪の束を出し入れする縦割り部１を全長に開設した中空筒状の外装体１０と、この外装体１０に対して前記縦割り部１よりこの縦割部を押し広げて内嵌される軸芯体からなる内装体２０との組み合わせで且つ、これら両内外装体１０、２０間に毛髪の束を弾力的に狭持しクリップする構成とする。
【０００６】
この頭髪飾り具は、さらに外装体１０には、その外周表面部に彩色、絵柄等の装飾２が付設されてなることが好ましい。
【０００７】
また、前記外装体１０の縦割部１に、一端の枢支部３を支点に開閉する開閉蓋４を設け、この開閉蓋４に前記内装体２０を取付けてなることにより縦割り部を塞ぐようにすることもできる。
【発明の効果】
【０００８】
本発明に係る頭髪飾り具は、毛髪の束に沿わせて筒状の外装体にその外周面の縦割部に内装体を当てがって押し込むように操作するだけでパチンと音がしてワンタッチで簡単迅速に装着することができる。装着されると、髪の毛に吊り下げた状態で固定され、任意の位置に変えて使用することができるカラフルでお洒落なアクセサリーとして使用し而も毛髪の束をしっかり固定してクリップの働きをするもので実用的である。
【発明を実施するための最良の形態】
【０００９】
以下、添付図面を参照して本発明の好ましい実施例を説明する。
【実施例】
【００１０】
図１乃至図５は一例として本発明に係る頭髪飾り具を示したものであり、図１（イ）は実際に使用した状態の説明図で、図１（ロ）は本発明に係る頭髪飾り具の斜視図である。図２は外装体と内装体とを分離した状態の夫々を斜視図で示している。
【００１１】
本発明に係る頭髪飾り具は、図２及び図３に示すように、中空筒状の外装体１０と、この外装体に嵌合される内装体２０との組み合わせよりなっている。外装体１０は弾性プラスチック製で、外周部に縦割部１を設けたもので、表面には彩色、絵柄等好みの装飾２が施されている。筒状の胴体部をつまむように外圧を加えると、弾力に抗して縦割部１が小さくすぼむように変形し、外圧を解放すると弾力で復元する。
【００１２】
内装体２０は、プラスチック製の軸芯体からなり、外装体１０とほぼ同長で外径が外装体の中空部に丁度嵌合できる大きさに形成されている。内装体２０の外装体１０への嵌入方法は、内装体２０を外装体１０の外方より縦割部１に沿うように当てがいそのまま押し込むように外圧を加えることでパチンと音がしてワンタッチで嵌入させることができる。毛髪の束にクリップして取付ける場合は、縦割部１より毛髪の束を入れ、その上から内装体２０を嵌入させればよい。取り外す場合は、外装体１０の一方又は他方の端部より引き出すようにする。
【００１３】
内装体２０は図２及び図３に示すように中空パイプ状に形成することが好ましい。中空パイプに形成することで重量及び材料を軽減し、コストの軽減を図ることができる。また、この内装体２０にはその外周部に環状の凹部５によって外装体１０の内周面に対する毛髪のクリップ力、ひいては毛髪に対する引き抜き抵抗が高められる。
【００１４】
同様の効果は外装体１０側に実施することによっても可能である。即ち、例えば、図４（イ）（ロ）に示すように外装体１０の内周面に１又は間隔を隔てて複数の環状凹部６を形成する。このようにすると、環状凹部６によって毛髪に屈曲した弾性力を与えるため、前記と同様にクリップ力を増し、毛髪に取り付けた場合に毛髪から引き抜き難くなる。
【００１５】
（その他の実施形態）
図５に示すように外装体１０の縦割部１に枢支部３を支点に開閉動作する開閉蓋４を設ける。この開閉蓋４は自由に開閉できるが、縦割部を閉じたときは、勝手に開かないよう節度の機能を備えたものにすることが好ましい。また、この開閉蓋４に中空パイプからなる内装体２０を一体的に設けることで、外装体１０への嵌入と取り外しを開閉式に行うことができる（図５のハ、ニ）。
【産業上の利用可能性】
【００１６】
本発明に係る頭髪飾り具は、操作が簡単でお洒落なアクセサリーとして手軽に利用でき、而も、安価に製造することができる。
【図面の簡単な説明】
【００１７】
【図１】図１は、本発明に係る頭髪飾り具の一実施例を示し、（イ）は使用状態の説明図、（ロ）は頭髪飾り具の全体斜視図である。
【図２】図２は、本発明に係る頭髪飾り具を分解した夫々の全体斜視図である。
【図３】図３は、本発明に係る頭髪飾り具を示し、（イ）はその正面図、（ロ）は前図におけるＡ−Ａ線の断面図、（ハ）は同Ｂ−Ｂ線の断面図である。
【図４】本発明の他の実施例であり、（イ）はその正面図、（ロ）は前図におけるＣ−Ｃ線の断面図、（ハ）は同Ｄ−Ｄ線の断面図である。
【図５】本発明のさらにその他の実施形態で、（イ）はその全体斜視図、（ロ）は正面図、（ハ）は前図Ｅ−Ｅ線の断面図で、（ニ）は動作説明を示す断面図である。
【符号の説明】
【００１８】
１  縦割部
２  装飾
３  枢支部
４  開閉蓋
５、６  凹部
１０  外装体
２０  内装体
【図１】
2005110874.tif 000003
【図２】
2005110874.tif 000004
【図３】
2005110874.tif 000005
【図４】
2005110874.tif 000006
【図５】
2005110874.tif 000007